(57)【要約】【課題】外装材等の部材が必要となってコストが増加し施工に高い技能および多くの工数を要してしまうことが抑制される防水構造を提供する。【解決手段】屋根３と、上端が屋根３よりも上方に突出する壁２と、における壁２の側面２０と屋根３の側端面３０との間からの水の浸入を防止するものである。水切り４を備え、水切り４は、一端部が壁２の側面２０に埋設され、他端部が屋根３の上面の上に配置される。【選択図】図５
2016141955.tif 000002
【特許請求の範囲】
【請求項１】
屋根と、上端が前記屋根よりも上方に突出する壁と、における前記壁の側面と前記屋根の側端面との間からの水の浸入を防止する防水構造であって、
水切りを備え、前記水切りは、一端部が前記壁の側面に埋設され、他端部が前記屋根の上面の上に配置されることを特徴とする防水構造。
【請求項２】
前記壁の側面において前記屋根の側端面と対向する部分が傾斜を有しており、
前記壁の側面には、前記傾斜に沿った傾斜を有し、前記水切りの一端部が挿入される溝が形成されることを特徴とする請求項１記載の防水構造。
【請求項３】
前記水切りの一端部が挿入された前記溝に止水材が挿入されていることを特徴とする請求項２記載の防水構造。
【発明の詳細な説明】
【技術分野】
【０００１】
本発明は、防水構造に関し、詳しくは、いわゆる壁勝ちの屋根の側端面と壁の側面との間からの水の浸入を防止する防水構造である。
【背景技術】
【０００２】
従来、壁の上端が屋根よりも上方に突出するいわゆる壁勝ちの屋根構造が採用されることがあった。このような壁勝ちの屋根構造においては、屋根の側端面と壁の側面との間から、水が浸入し易い、という問題があった。このため、従来は、防水テープ等を幾重にも貼付することで、防水が行われていた。
【０００３】
図６に示す従来例においては、屋根８は、野地板８１と、野地板８１上に敷設される防水シート８２と、防水シート８２上に葺かれる屋根葺材８３と、を備えている。壁９の側面には、防水シート８２の端部が位置しており、この防水シート８２の端部と壁９の側面とにかけて第一の防水テープ９１が貼付されている。さらに、第一の防水テープ９１の上端部と壁９の側面とにかけて第二の防水テープ９２が貼付される。さらに、第二の防水テープ９２の上端部と壁９の側面とにかけて外装下地板９３が設けられ、外装下地板９３に外装材９４が設けられている。
【先行技術文献】
【特許文献】
【０００４】
【特許文献１】特開２００５−１８００５６号公報
【発明の概要】
【発明が解決しようとする課題】
【０００５】
しかしながら、上記従来例にあっては、図６に示すように防水テープ９１、９２、外装材９４といった部材が必要となってコストが増加してしまい、また、これらの施工に高い技能および多くの工数を要してしまう、という問題があった。
【０００６】
本発明は上記従来の問題点に鑑みて発明したものであって、その目的とするところは、外装材等の部材が必要となってコストが増加し施工に高い技能および多くの工数を要してしまうことのない防水構造を提供することにある。
【課題を解決するための手段】
【０００７】
本発明は、屋根と、上端が前記屋根よりも上方に突出する壁と、における前記壁の側面と前記屋根の側端面との間からの水の浸入を防止する防水構造であって、水切りを備え、前記水切りは、一端部が前記壁の側面に埋設され、他端部が前記屋根の上面の上に配置されることを特徴とする。
【０００８】
また、前記壁の側面において前記屋根の側端面と対向する部分が傾斜を有しており、前記壁の側面には、前記傾斜に沿った傾斜を有し、前記水切りの一端部が挿入される溝が形成されることが好ましい。
【０００９】
また、前記水切りの一端部が挿入された前記溝に止水材が挿入されていることが好ましい。
【発明の効果】
【００１０】
本発明の防水構造は、外装材等の部材が必要となってコストが増加し施工に高い技能および多くの工数を要してしまうことが抑制される。
【図面の簡単な説明】
【００１１】
【図１】図１は、本発明の防水構造が適用される建物（連棟）の正面図である。
【図２】図２は、本発明の防水構造が適用される建物（連棟）のうちの一棟における屋根を除いた斜視図である。
【図３】図３は、本発明の防水構造が適用される建物（連棟）のうちの一棟の斜視図である。
【図４】図４は、本発明の防水構造が適用される建物（連棟）の壁と屋根との境界部分の断面の斜視図である。
【図５】図５は、本発明の防水構造が適用される建物（連棟）の壁と屋根との境界部分の正面視における断面図である。
【図６】図６は、従来例の建物の壁と屋根との境界部分の防水構造を示す斜視図である。
【発明を実施するための形態】
【００１２】
本発明の防水構造（以下、単に防水構造という）は、主に界壁となる壁と、壁の側面に側端面が突き合わされる屋根と、の間からの水（他の液体であってもよく、以下、単に水という）の浸入を防止または抑制するものである。まず、防水構造が適用される建物１について説明する。
【００１３】
建物１は、主に、図１に示すように、独立した居住空間を有する棟１０が複数連なった連棟（リンクハウス）であるが、特に連棟に限定されない。
【００１４】
防水構造が適用される壁２は、上端が屋根３よりも上方に突出するいわゆる壁勝ちの屋根構造における壁であり、主に、連棟において互いに隣接する棟１０の界壁であるが、特に界壁に限定されず、外壁であってもよい。
【００１５】
界壁が屋根３よりも上方に突出していると、火災の際に、隣接する棟１０の間で延焼し難くなる。このため、自主的にあるいは法律等による規制により、界壁が屋根３よりも上方に突出するように建物１が建築される。壁２の上端の屋根３からの突出高さは、特に限定されないが、高い程、燃焼防止効果が期待でき、例えば１００ｍｍ、２００ｍｍ、３００ｍｍ、それ以上に設定されるのが好ましい。なお、界壁ではなく外壁が屋根３よりも上方に突出する場合でも、屋根３の燃焼が外壁によって防止または抑制される。
【００１６】
本実施形態では、壁２は、いわゆるＰＣパネル（precast concrete panel）により形成されているが、ＰＣパネルに限定されない。また本実施形態では、建物１は連棟であり、ＰＣパネルが連結されるいわゆるＷＰＣ（wall precast concrete）工法により建築されている。ＷＰＣ工法では、複数のＰＣパネルが連結されることにより、図２に示すように、基礎上に、一階の壁２（外壁および界壁）、一階の天井（二階の床）、二階の壁２（外壁および界壁）、二階の天井１１が形成される。なお、本実施形態の建物１は二階建であるが、平屋（一階建）や三階建以上であってもよいし、また、建物１はＷＰＣ工法により建築されたものでなくてもよい。なお、図１〜３において、各ＰＣパネルの外郭は図示されていない。
【００１７】
防水構造が適用される屋根３は、図１、図３に示すように、隣接する壁２の間に配置される。屋根３の側端面３０は、図４、図５に示すように、壁２の側面２０に対向して接触または近接するように突き合わされ、屋根３と壁２との間に水が浸入し得る隙間（不図示）が形成される。
【００１８】
屋根３は、本実施形態では、二階の天井１１を構成するＰＣパネル上に設置され、一様な傾斜（水平に対する傾斜）を有するものである。言い換えると、壁２の側面２０において屋根３の側端面３０と対向する部分が傾斜を有している。屋根３は、本実施形態では、平面視矩形状をしたものである。傾斜を有する屋根３の下端縁に沿う方向を軒方向（図４に示す矢印方向）とする。本実施形態では、軒方向は屋根３の傾斜方向と直交するが、軒方向と屋根３の傾斜方向とが特に直交しなくてもよい。
【００１９】
屋根３は、本実施形態では、図４に示すように、束３１と、母屋３２と、野地板３３と、屋根葺材３４と、を備える。束３１は、二階の天井１１を構成するＰＣパネル上に設置される。母屋３２は、二階の天井１１を構成するＰＣパネル上および束３１の上に、軒方向と平行に設置される。傾斜方向に複数の母屋３２が間隔をあけて、屋根３の傾斜に沿った高さにそれぞれ設置される。母屋３２は、本実施形態ではＨ型鋼であるが、特に限定されない。野地板３３は、複数の母屋３２の上面に傾斜方向に沿って傾斜するように設置される。屋根葺材３４は、野地板３３の上面に設置されて、傾斜方向に沿うものである。図５に示すように、釘やビス等の固定具３５が、上方より、屋根葺材３４を介して野地板３３に打ち込まれて、屋根葺材３４が野地板３３に固定される。屋根葺材３４は、本実施形態では鋼板により形成されているが、特に限定されない。なお、屋根３は、このような構造に限定されない。
【００２０】
防水構造は、図４、図５に示すように、壁２の側面２０と屋根３の側端面３０との間からの水の浸入を防止または抑制する、水切り４を備えるものである。
【００２１】
水切り４は、図５に示すように、一端部が、壁２の側面２０に埋設され、他端部が、屋根３の上面上または上面の上方に配置される。水切り４は、図４に示すように、屋根３の傾斜方向に沿って長尺となるもので、壁２と屋根３の間の隙間の全長に亘って設けられることが好ましい。本実施形態では、水切り４は、上水切り４０１、下水切り４０２および閉塞部４０３を備える。また本実施形態では、水切り４は、金属製であるが、樹脂製や、その他の通水性を有しない材料により形成されていてもよい。
【００２２】
上水切り４０１は、本実施形態では、図５に示すように、取付片４１と、突出片４２と、覆い片４３と、を備える。取付片４１は、水切り４の一端部となるもので、本実施形態では断面が縦長の縦片からなるが、形状は限定されない。取付片４１は、壁２の側面２０に形成される凹所２１に挿入される。凹所２１は、本実施形態では図５に示すように断面視において矩形状をしており、正面視（図５の右方からの左方視）においても矩形状をしているが、形状は特に限定されない。凹所２１は、本実施形態では、壁２の側面２０に形成される、屋根３の傾斜に沿った傾斜を有する溝からなる。
【００２３】
突出片４２は、凹所２１内に挿入される取付片４１から、凹所２１外（すなわち側面２０の外側）に向けて突出するもので、本実施形態では断面が横長の横片からなるが、形状は限定されない。突出片４２は、側面２０から離れる方へ行く程、低い位置に位置するように傾斜することが好ましい。
【００２４】
覆い片４３は、突出片４２の外側の端部から下方へ向けて突出するもので、本実施形態では断面が縦長の縦片からなるが、形状は限定されない。
【００２５】
下水切り４０２は、本実施形態では、図５に示すように、取付片４４と、覆い片４５と、水切り片４６と、を備える。取付片４４は、壁２の側面２０に取り付けられるもので、本実施形態では断面が縦長の縦片からなるが、形状は限定されない。
【００２６】
覆い片４５は、取付片４４の下端部から、側面２０から離れる方に向けて突出するもので、本実施形態では断面が横長の横片からなるが、形状は限定されない。覆い片４５は、その上面が、側面２０から離れる方へ行く程、低い位置に位置するように傾斜している。
【００２７】
水切り片４６は、水切り４の他端部となるもので、覆い片４５の下端部から下方へ向けて突出するもので、本実施形態では断面が縦長の縦片からなるが、形状は限定されない。
【００２８】
上水切り４０１は、図５に示すように、取付片４１が凹所２１に挿入されて、釘やビス等の固定具２２が取付片４１を介して凹所２１の奥面（すなわち壁２）に打ち込まれることで、壁２に固定される。そして、凹所２１内に、ポリウレタンやその他の樹脂、ゴム等からなる止水材２３を挿入（好ましくは充填）することで、側面２０の上水切り４０１が設けられた箇所（止水材２３が設けられた箇所）を挟んだ上下の通水が阻止される。側面２０の上水切り４０１よりも上側の箇所を流下した水は、突出片４２を伝い、その後、覆い片４３を伝って流下する。
【００２９】
下水切り４０２は、図５に示すように、釘やビス等の固定具２４が取付片４４を介して側面２０に打ち込まれることで、側面２０に固定される。また、下水切り４０２は、屋根固定具５により屋根３に固定される。
【００３０】
屋根固定具５は、取付片５１と、突出片５２と、支持片５３と、を備える。取付片５１は、本実施形態では断面が横長の横片からなるが、形状は限定されない。釘やビス等の固定具（固定具３５）が取付片５１を介して屋根３の上面に打ち込まれることで、屋根固定具５が屋根３の上面に固定される。なお、本実施形態では、前記固定具は、屋根葺材３４が野地板３３に固定されるのに用いられる固定具３５と兼用されているが、固定具３５とは別に設けられてもよい。前記固定具が固定具３５と兼用されることにより、屋根葺材３４と屋根固定具５の取り付けが容易となるとともに、前記取り付けのための部材点数が削減される。
【００３１】
突出片５２は、取付片５１から上方に向けて突出するもので、本実施形態では断面が縦長の縦片からなるが、形状は限定されない。
【００３２】
支持片５３は、突出片５２の上端部から、側面２０から離れる方に向けて突出するもので、本実施形態では断面が横長の横片からなるが、形状は限定されない。支持片５３は、その上面が、覆い片４５の傾斜に沿うように、側面２０から離れる方へ行く程、低い位置に位置するように傾斜している。釘やビス等の固定具５４が覆い片４５を介して支持片５３に打ち込まれることで、下水切り４０２が屋根固定具５に固定される。
【００３３】
閉塞部４０３は、上水切り４０１と下水切り４０２との間に介在し、上水切り４０１と下水切り４０２との間の通水を阻止するものである。閉塞部４０３は、ポリウレタンやその他の樹脂、ゴム等からなるが、止水性を有するものであれば特に限定されない。
【００３４】
上水切り４０１の覆い片４３を流下した水は、下水切り４０２の覆い片４５の上面に流下し、端部の水切り片４６から屋根３上（屋根葺材３４上）に流下する。屋根３上に流下した水は、屋根３の傾斜に沿って流下し、屋根３の下端縁（軒側端縁）より落下する。
【００３５】
上述したように、本発明の防水構造は、屋根３と、上端が屋根３よりも上方に突出する壁２と、における壁２の側面２０と屋根３の側端面３０との間からの水の浸入を防止するものである。本発明の防水構造は、水切り４を備え、水切り４は、一端部が壁２の側面２０に埋設され、他端部が屋根３の上面の上に配置されることを特徴とする。このように、水切り４が用いられることにより、従来用いられていた防水テープ９１、９２が不要となり、防水テープ９１、９２が見えることによって見栄えが悪くなることが抑制される。また、防水テープ９１、９２が用いられなくなるため、防水テープ９２の上端部を隠すために従来用いられていた外装下地板９３や外装材９４も不要となり、コストの削減、部品点数の削減、施工の手間の簡略化が図られるものである。
【００３６】
また、防水構造は、壁２の側面２０において屋根３の側端面３０と対向する部分が傾斜を有しており、壁２の側面２０には、傾斜に沿った傾斜を有し、水切り４の一端部が挿入される溝（凹所２１）が形成されることが好ましい。特に、上記実施形態におけるように、壁２がＰＣパネルにより構成されることにより、壁に所定の深さの溝からなる凹所２１が形成可能となり、水切り４の一端部の埋設代を長くとることができ、止水性を向上させることが可能となる。
【００３７】
また、防水構造は、水切り４の一端部が挿入された溝（凹所２１）に止水材２３が挿入されていることが好ましい。これにより、止水性を確保することができる。
【００３８】
なお、水切り４は、傾斜方向に複数に分割されていても構わないが、分割されていない方が好ましい。水切り４は、傾斜方向に複数に分割される場合には、分割された水切り４の境界部分に止水材が設けられることが好ましい。
【符号の説明】
【００３９】
２    壁
２０  側面
３    屋根
３０  側端面
４    水切り
【図１】
2016141955.tif 000003
【図２】
2016141955.tif 000004
【図３】
2016141955.tif 000005
【図４】
2016141955.tif 000006
【図５】
2016141955.tif 000007
【図６】
2016141955.tif 000008